(57)【要約】【課題】経穴を介して生体を治療する素材及び治療用シートにおいて、小型であっても気を増幅させて効率よく取り込めるようにすること【解決手段】導電性を有する一本の金属線で複数のループを形成し、各ループを同一平面上で放射方向にほぼ均等に配列した【図面】  図１【特許請求の範囲】
【請求項１】
経穴を介して生体を治療する素材において、導電性を有する一本の金属線で複数のループを形成し、各ループを同一平面上で放射方向にほぼ均等に配列させた治療用素材。
【請求項２】
粘着層を有するシート体に請求項１に記載の治療用素材を一又は二以上取り付けた治療用シート。
【請求項３】
粘着層の外側に治療用素材を固着させた請求項２に記載の治療用シート。
【請求項４】
シート体に治療用素材を固着させ、その外側に粘着層を設けた請求項２に記載の治療用シート。
【請求項５】
治療用素材を二枚のシート体の間に位置させて取り付け、一方のシート体の外側に粘着剤層を積層させた請求項２に記載の治療用シート。
【請求項６】
粘着層が交換を可能にしてシート体に積層させてある請求項４又は５に記載の治療用シート。
【請求項７】
粘着層が両面粘着シート又は両面粘着テープである請求項４乃至６のいずれかに記載の治療用シート。
【発明の詳細な説明】
【技術分野】
【０００１】
本発明は、経穴を介して生体を治療する素材及びその素材を固着させた治療用シートに関するものである。
【背景技術】
【０００２】
人体の内外には、いろいろなエネルギー現象が発生している。
体内には生体エネルギーである「気」が流れる路（経絡）があって、経穴（ツボ）が気の出入り口となっていることが知られており、生体内の微弱電流は、この経絡にしたがって流れ、経穴では他の部分に比べて電気抵抗が小さく、電流が流れやすくなっていることも明かにされている。
また、生体に微弱電流が流れていることは、体内で磁場が形成されていることを意味している。
近時東洋医学では、肩こり、腰痛、腫れ物、しもやけ、生理不順、不眠、高血圧などの体調不良は、気のバランスが崩れて気が円滑に流れないことが原因であるとされている。経穴における電気抵抗が大きくなって微弱電流の電位差が大きくなり、それに伴って形成される磁場も変化することになる。
【０００３】
東洋医学は、経穴を円滑に機能させ、生体エネルギーの出入りを円滑にさせることによって、人間の自然治癒力を高める思想に基づいて治療が施され、次のような治療方法が採用されている。
一般的には、ハリ、灸、マッサージなどによって経穴及びその近辺に物理的な刺激を与えることによって、血流の流れを促進させ、経穴のバランスを回復する治療が古くから行われていることは顕著な事実である。
しかしながら、この治療法では、施術者が必要となり、単独で簡便な治療を行うことができない不都合がある。
絆創膏に貼着させた小さなハリや磁石を経穴やその近辺に貼着することも行われているが、このハリでは深部に到達させることはできないし、小さな磁石では磁場に与える刺激も小さく、血流を大幅に回復させることは困難である。
【０００４】
第二に、生体エネルギーとなる「気」を経穴から体内へ送り込む治療も行われている。気功師によって経穴に送り込まれる気と同様の波動を発するセラミックを容器状の成型体の凹曲面に固定させた用具やセラミックを貼着させた絆創膏を経穴に接触させ、遠赤外線などの波動を利用して自律神経、交感神経、副交感神経に働きかけて体温の上昇を促し、生体エネルギーの流れを促進させて自然治癒力を高めることが提案されている（特許文献１、２参照）。
この治療法において使用するセラミックスの遠赤外線の波動を利用するためには、セラミックス自体で大きな表面積を形成できるように特別の容器に配列させ、これを経穴に当接させる必要があるため、単独での治療ができない不都合があるし、絆創膏に貼着させたセラミックスを利用する場合には、その表面積を大きくする関係上、大型のセラミックスを貼着させなければならなくなる不都合がある。
【０００５】
第三に、生体を流れる微弱電流の機能が低下した経穴における抵抗値を小さくするために導電性部材を利用して経穴における電位差を小さくする治療する方法も提案されている（特許文献３参照）。
この治療法では、導電性金属の形状を、端部に丸みを持たせて屈曲させたコイル状や羊腸状の不安定な形態のものが使用されるため、気が分散して体内への取り込みがうまくいかない問題があり、また、金属部材が大型化してしまい、体に貼着させた場合に上記のセラミックスと同様に、ゴワツキが生じて体の動きに支障を来すことになる。
【特許文献１】特開平１１−２７６６０３号公報
【特許文献２】特開２００１−５４５５２号公報
【特許文献３】実公平７−３３７９９号公報
【発明の開示】
【発明が解決しようとする課題】
【０００６】
経穴を介して生体を治療する素材及び治療用シートにおいて、小型であっても気を増幅させて効率よく取り込めるようにすることを課題としたものである。
【課題を解決するための手段】
【０００７】
この技術的課題を解決するための第一の技術的手段は治療用素材に関するもので、導電性を有する一本の金属線で複数のループを形成し、各ループを同一平面上で放射方向にほぼ均等に配列したこと、である。
第二の技術的手段は治療用シートに関するもので、粘着層を有するシート体に請求項１に記載の治療用素材を一又は二以上取り付けたことである。第三の技術的手段は、この治療用シートにおいて、粘着層の外側に治療用素材を固着させたことであり、第四の技術的手段は、シート体に治療用素材を固着させ、その外側に粘着層を設けたことである。
また、第五の技術的手段は、治療用素材を二枚のシート体の間に位置させて取り付け、一方のシート体の外側に粘着剤層を積層させた治療用シートである。
【０００８】
第一の技術的手段において、金属線で形成した複数のループは、同一平面上で放射方向にほぼ均等に配列されているから、各ループの中心は大略仮想円の円周上に並ぶことになる。隣り合ったループ同志は、互いに接触するか或いは間隔がほぼ等しくなるから幾何学的にも安定した形態が得られ、小型の薄肉片を形成することができる。
形態の安定した金属線からなる素材からは多くの気が発生する。この素材を経穴又はその近辺に当接させたり近接させると、発生した気が増幅されて経穴に送り込まれることになる。
【０００９】
また、金属線は導電性を備えているから、生体の微弱電流に作用すると共に微弱磁力を受け取ることになるから、経穴における電気抵抗を小さくしてその流れを円滑にすると共に体内の磁場を安定化させ、体内のエネルギーバランスを回復させることになる。
【００１０】
金属線としては、ステンレススティール304、403、430 などの合金や鉄、さらには、金、白金、銀、亜鉛、錫、パラジウム、チタン、銅並びにこれらの金属からなる合金を好適に使用することができる。金属に錆の発生が予想される場合には、メッキを施しておくことが望ましい。
気は繊維を通して働くから、本発明に係る治療用素材は体表面に接触させて使用する他、腹巻や下着に縫着する等の手段によって取り付けて使用することができる。
【００１１】
第二の技術的手段において、粘着層を有するシート体に一又は二以上の治療用素材を取り付けると、シート体を直接体に貼ったり、或いは衣服に貼ることによって、簡便に使用することができる。複数の治療用素材を固着した場合には、経穴の位置とこの素材との位置が一致しなくても、確実に経穴の近辺に素材を位置させることができるから、気の取り込みに支障はない。
この治療用シートにおいて、第三の技術的手段では、シート体上の粘着層の外側に治療用素材が固着させられているから、これに治療用素材を固着させるだけで簡便に治療用シートを得ることができる。また、第四の技術的手段では、シート体に治療用素材が固着され、その外側に粘着層が設けられているから、粘着層を除去しても治療用素材が外れることがなく、粘着力が低下した粘着層の交換を行える利点がある。
【００１２】
また、第五の技術的手段においては、治療用素材が二枚のシート体の間に位置させて取り付けられ、一方のシート体の外側に粘着剤層が積層させられているから、治療層素材の固着部と粘着層とを完全に独立させることができ、この場合も粘着力が低下した粘着層の交換を行える利点がある。
【００１３】
シート体としては、プラスチックフィルム、薄肉ゴムシート、ラバークロス、布帛、不織布などを使用することができる。治療素材は、これらのシート体に接着剤を使用することによって簡便に固着させることができる。編織物や不織布の場合には、治療用素材を縫い合わせて取り付けるようにしてもよい。
【００１４】
この治療用シートにおける粘着層を交換を可能にしてシート体に積層させておくと、粘着力が弱った粘着剤を容易に交換することができるから、治療用素材に常に強い粘着力を発揮させられる利点があり、治療用シートを半永久的に使用することができる。
粘着層としてはは、シート体上に塗布して形成する他、両面粘着シートや両面粘着テープを選択的に使用することができる。なお、粘着層は、治療用シートの使用部位や被貼着部の状態に応じて、シート体表面の全部又は一部に設けるようにすればよい。
【発明の効果】
【００１５】
小型であっても気を増幅させて効率よく取り込める結果、気のバランスを早期に回復して自然治癒力を高められる利点がある。
【発明を実施するための最良の形態】
【００１６】
図１は、本発明に係る治療素材１の平面図である。この素材は、ステンレススティール304 からなる一本の線材をクローバーの葉形に屈曲させ、三方向に形成したループを中心部で一体化してループが半径５mmの円内に納まるようにしてあり、プレス加工によって平面状の形態になるようにしている。
ループを一体化した状態の治療用素材の大きさは、貼着部位や期待する効果を勘案して適宜の大きさに設計することになる。
【００１７】
図２は、粘着シートに、図１に示した治療用素材１、１を５個固着させた治療用シート２の裏面図である。
このシート２は、両面粘着シート４の表面に治療用素材１、１を貼着し、その外側に裏面に粘着層を有する不織布３を積層させ、素材１、１を挟み込んで固着させている。粘着シート４の裏面には、図示しない剥離紙を積層させていて、使用する際にこれを除去して体表面や衣服に貼り付けることになる（図３参照）。
【００１８】
図４は他の実施形態を示したものであり、間に治療用素材１、１を配置した状態で二枚のプチスチック製のフィルム５、５を接着剤で貼り合わせて素材１、１を固着させ、一方のフィルム５の外側に粘着シート４を積層した治療用シート２の断面を示している。
この実施形態ではフィルム５、５を使用しているが、織物や不織布などの繊維シートを使用しても同様の治療用シートが得られる。後者の場合には、治療用素材を接着剤を使用せずに縫着して取り付けるようにすることもできる。
【００１９】
上記いずれの実施形態においても、ホコリや毛羽状繊維、脂肪、垢などを洗浄しても再使用できるように、配合を設計したものを使用している。勿論、通常の絆創膏に使用される公知の粘着剤を使用したり、市販の両面粘着シートを使用することもできる。
【図面の簡単な説明】
【００２０】
【図１】本発明に係る治療用素材の平面図
【図２】本発明に係る治療用シートの裏面図
【図３】治療用シートの中央断面図
【図４】他の実施形態における治療用シートの中央断面図
【符号の説明】
【００２１】
１治療用素材、  ２治療用シート、  ３粘着剤層を備えた不織布、  ４両面粘着シート、  ５プラスチックフィルム
【図１】
2004321772.tif 000002
【図２】
2004321772.tif 000003
【図３】
2004321772.tif 000004
【図４】
2004321772.tif 000005